(57)【特許請求の範囲】
【請求項１】
コンロ本体部の上部に配置される天板の開口部に、ガスバーナと五徳とが配置されるガスコンロにおいて、
ガスバーナ及び五徳が支持体を介して配設される昇降台と、
五徳及びガスバーナの上部が天板よりも上方に位置し、支持体により開口部が閉鎖状になる使用位置と、コンロ本体部内にガスバーナ及び五徳が収納される収納位置とに昇降台を垂直に昇降させるギヤ駆動式の昇降機構と、
昇降機構の昇降動作を制御する制御手段とを備え、
制御手段は、昇降台を使用位置から収納位置に移動させるために昇降機構を制御する際に、昇降台を収納位置よりも下方の最下降位置に下降させてから上昇させて最下降位置からの上昇過程においてギア間の遊びを無くした状態で収納位置に停止させ、昇降台をこの収納位置から使用位置へ上昇させる制御を行なうときに位置ズレなく使用位置に停止させる制御を行なう構成とするガスコンロ。
【請求項２】
請求項１に記載のガスコンロにおいて、
上記ギヤ駆動式の昇降機構は、電動モータにより回動されるボールネジと、昇降台に取り付けられてボールネジの回転運動を昇降運動へ変換するＸ字状に組まれたリンクアームとを備えるパンタグラフジャッキにより構成されるガスコンロ。
【発明の詳細な説明】
【技術分野】
【０００１】
本発明は、ガスバーナ未使用時にコンロ本体部内にガスバーナ及び五徳を収納することができるガスコンロに関する。
【背景技術】
【０００２】
この種のガスコンロとして、天板を昇降させてガスバーナ及び五徳を収納・未収納の状態にするものがある（特許文献１）。この天板の昇降部は、天板部分に下向きに設けたラックと、ラックに噛み合うピニオンギヤと、ピニオンギヤを回転させる電動モータとを備える。そして、ガスバーナを使用する際には、昇降部により天板を下降させてガスバーナ及び五徳が露出した最低位置に天板を保持し、ガスバーナを使用しない状態では、昇降部により天板を上昇させてガスバーナと五徳の上方の最高位置に天板を保持するようにしている（特許文献１の段落００２６、段落００２７）。
【先行技術文献】
【特許文献】
【０００３】
【特許文献１】特開２００３−２４７７２３号公報
【発明の概要】
【発明が解決しようとする課題】
【０００４】
しかしながら、上記ガスコンロでは、昇降部をラックとピニオンギヤによるギヤ駆動式とするから、ギヤの回転方向が切り替わるときにはギヤ間の隙間（バックラッシュ）の影響によって位置ズレや大きな負荷を受ける。そのため、昇降部を下降過程で停止させた最低位置ではバックラッシュ相当分の上下のガタつきにより位置が定まらず、次に上昇させたときに最高位置に位置ズレが生じる。また、最低位置からの上昇開始時には、バックラッシュによる負荷とともに天板の荷重が加わるため、その際に大きな負荷が掛って衝撃が生じ、昇降部がふらついて上昇動作が円滑に行われないおそれがある。そのため、電動モータは比較的大きな駆動力を有する大型のものが必要となる。
また、ガスバーナの使用中は、天板の下降により凹部が形成されるため、この凹部に熱が篭って天板が過熱され、しかも火の状態も分かり難くなり、さらにはガスコンロ全体としての見栄えも好ましくない。
【０００５】
本発明は、上記事情に鑑みてなされたものであり、ガスバーナや五徳を収納、未収納させるためにギヤ駆動式の昇降機構を用いても位置ズレを生じさせず、且つ円滑な昇降動作が行われ、さらにはガスバーナの使用中に天板が過熱されることなく且つ火の状態も分かり易くすることができるガスコンロを提供することを課題とする。
【課題を解決するための手段】
【０００６】
本発明に係るガスコンロは、
コンロ本体部の上部に配置される天板の開口部に、ガスバーナと五徳とが配置されるガスコンロにおいて、
ガスバーナ及び五徳が支持体を介して配設される昇降台と、
五徳及びガスバーナの上部が天板よりも上方に位置し、支持体により開口部が閉鎖状になる使用位置と、コンロ本体部内にガスバーナ及び五徳が収納される収納位置とに昇降台を垂直に昇降させるギヤ駆動式の昇降機構と、
昇降機構の昇降動作を制御する制御手段とを備え、
制御手段は、昇降台を使用位置から収納位置に移動させるために昇降機構を制御する際に、昇降台を収納位置よりも下方の最下降位置に下降させてから上昇させて最下降位置からの上昇過程においてギア間の遊びを無くした状態で収納位置に停止させ、昇降台をこの収納位置から使用位置へ上昇させる制御を行なうときに位置ズレなく使用位置に停止させる制御を行なう構成とする。
【０００７】
上記構成により、収納位置の状態の昇降機構は、最下降位置からの上昇過程で停止させた状態となる。これにより、収納位置における昇降機構のギヤ駆動部分では、上昇方向へのギヤ間のバックラッシュによる遊びを無くすことができる。従って、収納位置において上昇方向への位置が決まり、昇降台をこの収納位置から使用位置へ上昇させたときに使用位置に位置ズレを生じさせることもない。
しかも、収納位置での昇降機構は、上昇過程で停止させた状態にあるから、昇降台に掛る荷重を受け止めた状態となっている。従って、収納位置から使用位置へ向けて昇降台を上昇開始させる際は、上記バックラッシュの影響を受けることがなく、昇降機構への負荷や衝撃等が抑制され、昇降機構によりスムーズな上昇動作を行わせることができる。
また、ガスバーナの使用時に天板の下降により凹部が形成されることもないから、天板が過熱されることがなく且つ火の状態も分かり易くすることができる。
【０００８】
上記ギヤ駆動式の昇降機構は、電動モータにより回動されるボールネジと、昇降台に取り付けられてボールネジの回転運動を昇降運動へ変換するＸ字状に組まれたリンクアームとを備えるパンタグラフジャッキにより構成されるのが好ましい。
これによれば、電動モータの駆動力が比較的小さくてもガスバーナや五徳の重量が掛った昇降台を滑らかに昇降させることができる。従って、上昇開始時の昇降機構への負荷や衝撃等を一層抑制でき、昇降機構によりスムーズな上昇動作を行わせることができる。しかも、電動モータを小型にして昇降機構をコンパクトに構成することができる。
【発明の効果】
【０００９】
以上のように、本発明に係るガスコンロによれば、ガスバーナや五徳を使用位置と収納位置とに移動させるためにギヤ駆動式の昇降機構を用いても使用位置に位置ズレを生じさせず、且つ円滑な昇降動作を行なわせることができる。しかも、ガスバーナの使用中に天板が過熱されることなく且つ火の状態も分かり易くすることができる。
【図面の簡単な説明】
【００１０】
【図１】本実施形態に係るガスコンロの外観構成を示す斜視図である。
【図２】ガスバーナと器具栓との接続状態、ガスバーナ、五徳及びバーナリングを支持部材に組み付けた状態を示す説明図である。
【図３】ガスバーナ及び五徳が使用位置（昇降台の最上昇位置）にある状態を示す断面図である。
【図４】昇降台８１が最下降位置にある状態を示す断面図である。
【図５】ガスバーナ及び五徳が収納位置にある状態を示す断面図である。
【図６】ガスバーナ及び五徳が蓋体取外し位置にある状態を示す断面図である。
【発明を実施するための形態】
【００１１】
以下に、実施の形態について添付図面を参照しながら説明する。
図１に示すように、本実施形態に係るガスコンロ１は、ビルトインタイプに適用したものであり、上方が開放された矩形箱状のキャビネットＣ内に、複数のガスバーナ２を備えたガスコンロ１のコンロ本体部１１が収納されている。コンロ本体部１１の上方開放部は、ガラス製又はホーロー製などの天板１２で被覆され、天板１２の所定の複数位置に形成された各開口部１２ａにはガスバーナ２及び五徳３が配置される。なお、ガスコンロ１は、ガスバーナが1つ設けられたものでもよい。
【００１２】
そして、図２に示すように、ガスバーナ２及び五徳３は、昇降台８１上に配設され、ギヤ駆動式の昇降機構８（図３参照）によって昇降台８１を昇降させることにより、五徳３の上部が天板１２よりも上方に位置する使用位置とコンロ本体部１１内にガスバーナ２及び五徳３が収納される収納位置とに配置可能に構成される。なお、各開口部１２ａの下方には、ガスバーナ２の上下動の範囲より長い高さを有する筒状の内壁１２ｂが形成されている。
【００１３】
ガスバーナ２は、バーナ部２１と、このバーナ部２１にガス燃料と空気との混合ガスを供給する混合管２４とを備える。バーナ部２１は、上下方向に延びる内筒２２ａと外筒２２ｂで形成したバーナボディ２２と、バーナボディ２２の上に載置される円形のバーナヘッド２３とから構成され、バーナヘッド２３の外周部に多数の炎孔２３ａが形成される。バーナボディ２２の下端部には、混合管２４の下流端部が接続され、バーナボディ２２の周囲に図示しない点火電極及び炎検知器が外付けされている。
【００１４】
混合管２４の上流端のガス受入口には、ガス噴出口となるノズル２５を配設する閉鎖体２６が取り付けられ、この閉鎖体２６には、一次空気が供給される供給口２６ａが形成されている。なお、閉鎖体２６を設けることなく、ノズル２５と混合管２４のガス受入口との間の隙間を一次空気が供給される供給口とすることもできる。ノズル２５には、第１回転継手４３を介してクランク状の第１接続管４１が回転可能に接続され、第１接続管４１の上流端には、第２回転継手４４を介してクランク状の第２接続管４２が回転可能に接続される。そして、第２接続管４２の上流端は、ガスバーナ２へのガス供給を制御する器具栓５から延設された連絡管５４に第３回転継手４５を介して回転可能に接続される。従って、ガスバーナ２が上下動されても、第１〜３回転継手４３〜４５を介して第１接続管４１及び第２接続管４２が回動されるので、器具栓５から混合管２４までの距離が一定に保持された状態で、ノズル２５を混合管２４のガス受入口に配置した状態に保持することができる。
【００１５】
ガスバーナ２及び五徳３を配設する昇降台８１上には、筒状の支持体１７が固定され、この支持体１７は、筒部１７ａとこの筒部１７ａの上部を塞ぐ天井部１７ｂとから構成される。天井部１７ｂの中心に形成された中心孔には、バーナボディ２２を挿通させた状態でバーナボディ２２が固定され、天井部１７ｂの上面には、バーナリング６がボルトなどにより固定される。このバーナリング６は、天板１２の開口部１２ａの周縁との間に隙間が形成されないように設置される。バーナリング６の上面外周部には五徳３を載置させるための環状段部６２が形成されており、このバーナリング６に五徳３が取り付けられる。五徳３は、バーナリング６の環状段部６２に着脱可能に嵌められる環状の五徳枠３１と、この五徳枠３１に等間隔で突設される複数の五徳爪３２とを有する。五徳爪３２は、ガスバーナ２のバーナヘッド２３よりも高くなるように形成されている。これにより、ガスバーナ２を昇降させても昇降台８１上にガスバーナ２と五徳３とが互いの高さ位置関係を一定に保持した状態で配設される。従って、ガスバーナ２を使用するときは良好な燃焼状態を確保できる。
【００１６】
バーナボディ２２の内筒２２ａ内には、調理容器Ａの底温度を検出する鍋底温度センサ７１（調理容器温度検出手段）が設けられている。鍋底温度センサ７１は、ばね等の付勢手段により先端に感熱部７１ｂを設けた軸部７１ａが上方に復帰付勢される状態で支持体１７に取り付けられ、五徳３上に調理容器Ａを載置すると、上部の感熱部７１ｂが鍋底に押圧された状態となって鍋底温度を検出するように構成される。また、鍋底温度センサ７１には、上下動可能な軸部７１ａに設けた突起部が所定位置に下降したときオン動作するマイクロスイッチなどで構成する物検知手段７２が設けられている。この物検知手段７２により、五徳３上に調理容器Ａ等の物体が載置されると、軸部７１ａの下降によりオン信号が出力され、この信号のオンオフによって五徳３上の調理容器Ａ等の物体の有無が検出される。
【００１７】
図３に示すように、ギヤ駆動式の昇降機構８は、昇降台８１の下方に取り付けられたパンタグラフジャッキにより構成され、このパンタグラフジャッキは、コンロ本体部１１の底面に固定される板状の固定部材８２と昇降台８１との間に配設される。パンタグラフジャッキを構成するリンクアーム８３は、４本のリンクアーム８３で１つのパンタグラフ機構８４が構成され、２つのパンタグラフ機構８４が固定部材８２上に対向配置される。
【００１８】
パンタグラフ機構８４は、リンクアーム８３をＸ字状に２本重ね合わせて、長手方向中央部を軸８５ａの端部で回動可能に支持したものを上下に設け、一方のＸ字状態のリンクアーム８３の各長手方向端部を他方のＸ字状態のリンクアーム８３の端部と軸８５ｂの端部で回動可能に連結することにより、二段式のパンタグラフ機構８４が構成される。このパンタグラフ機構８４を２つ対向配置させて軸８５ａ，８５ｂにより互いに連結させる。そして、上方側端部及び下方側端部の残りの４つのリンクアーム８３の端部は、軸８５ｃにより連結される。
【００１９】
リンクアーム８３の下方側端部を連結する一方の軸８５ｃは、固定部材８２に設けた一対の下側ガイドプレート８６にボルト８７により固定され、他方の下方側の軸８５ｃは、その両端部を下側ガイドプレート８６に形成された長孔からなる下側ガイド孔８６ａに嵌め合わせて、下側ガイド孔８６ａ内を水平方向にスライドできるようになっている。また、リンクアーム８３の上方側端部を連結する一方の軸８５ｃは、昇降台８１の下面に取り付けた一対の上側ガイドプレート８８にボルト８７により固定され、他方の上方側の軸８５ｃは、その両端部を上側ガイドプレート８８に形成された長孔からなる上側ガイド孔８８ａに嵌め合わせて、上側ガイド孔８８ａ内を水平方向にスライドできるようになっている。上下のガイドプレート８６，８８に固定される軸８５ｃは上下方向において同じ位置に固定されている。
【００２０】
また、各軸８５ｂの軸方向中央部には、ボールネジ８９が挿通される挿通孔が形成されている。ボールネジ８９の先端側（スライドする軸８５ｃ側）に配置される一方の軸８５ｂの挿通孔は、ボールネジ８９のネジと噛み合うネジ孔が形成されている。ボールネジ８９の基端側に配置される他方の軸８５ｂには、ボールネジ８９の軸方向の動きを阻止するストッパ８９ａが設けられている。また、ボールネジ８９の基端部には、正逆回転可能な電動モータ８０が接続されている。電動モータ８０が駆動されてボールネジ８９が回転されることにより、ボールネジ８９の作用でネジ孔を有する軸８５ｂが他方の軸８５ｂに接近、離間してパンタグラフ機構８４により昇降台８１が昇降移動される。
【００２１】
このようにして、上記ギヤ駆動式の昇降機構８は、昇降台８１を最上昇位置と最下降位置との間で昇降可能に構成される。最上昇位置は、バーナリング６の外周縁が天板１２に形成した開口部１２ａに一致する位置に昇降台８１を上昇させた位置であり、ガスバーナ２の使用位置となる。最下降位置は、バーナリング６上に配置された五徳３の五徳爪３２が天板１２より下方に配置される位置に昇降台８１を下降させた位置であり、ガスバーナ２及び五徳３の収納位置よりも下方の位置である。そして、コンロ本体部１１内には、昇降機構８の移動によりオンオフされる上部マイクロスイッチ９１と下部マイクロスイッチ９２とが設けられ、上部マイクロスイッチ９１のオン信号により最上昇位置が検出され、下部マイクロスイッチ９２のオン信号により最下降位置が検出される。また、昇降台８１が昇降している間の位置を細かく検出するためのスケールセンサ９３がコンロ本体部１１に設けられている。これら上部マイクロスイッチ９１と下部マイクロスイッチ９２とスケールセンサ９３とにより位置検出手段９が構成される。
【００２２】
天板１２の前側（使用者の立ち位置側）には、タッチ操作式の操作部１２ｃが各ガスバーナ２に対応して設けられている（図１参照）。そして、各操作部１２ｃには、図示しないが、ガスバーナ２の上記昇降動作を行なうための昇降スイッチが設けられている。なお、図示しないが、天板１２の上面には、電源スイッチや、各ガスバーナ２に対応して、ガスバーナ２を点火及び消火させるための点消火スイッチ、ガスバーナ２の燃焼量を調節するためのバーナ火力調整スイッチ等も設けられている。そして、これら各スイッチのタッチ操作に応じた指令情報（例えば、静電容量式などのタッチスイッチの電気信号による指令情報）は、このガスコンロ１に備える制御部１０（図３参照）に入力される。制御部１０には、上記の物検知手段７２や位置検知手段９等の検知信号も入力される。
【００２３】
そして、制御部１０は、昇降スイッチが操作されることにより、ガスバーナ２１及び五徳３が配置された昇降台８１を昇降させるように昇降機構８の制御を行なって、バーナ部２１の上部及び五徳３を天板１２の上方に突出させた状態とする使用位置（図３参照）と、バーナ部２１及び五徳３を天板１２に対して非突出状態とする収納位置（図５参照）とに配置させる。この制御部１０による動作を以下に説明する。
【００２４】
まず、図３に示すガスバーナ２の使用位置のとき、操作部１２ｃの昇降スイッチがオン操作されると、電動モータ８０を正転方向に駆動しボールネジ８９を正回転させてパンタグラフ機構８４を下降動作させることにより、最上昇位置にあった昇降台８１が下降される。なお、この昇降台８１の下降動作開始時や下降動作中に鍋底温度センサ７に設けた物検知手段７２が五徳３上の調理容器Ａ等の物体の有りを検出した場合は、電動モータ８０を駆動停止して昇降台８１の下降動作を停止させる。これにより、五徳３に載せられた調理容器Ａ等がひっくり返ったりするのが防止される。このとき、五徳３上から調理容器Ａ等の物体を退けて昇降スイッチを再びオン操作すれば、上記下降動作が再開される。
【００２５】
そして、図４に示すように、昇降台８１が最下降位置に到達すると、下部マイクロスイッチ９２がオンされる。すると、電動モータ８０の回転を正転方向から逆転方向に切り替えて、ボールネジ８９を逆回転させてパンタグラフ機構８４を上昇動作させて昇降台８１を上昇させる。そして、図５に示すように、昇降台８１が最下降位置から少し（例えば、約５ｍｍ）上昇したことがスケールセンサ９３で検出されると、昇降台８１がガスバーナ２の収納位置に到達したと判断し、電動モータ８０を駆動停止させる。
【００２６】
この収納位置では、ガスバーナ２及び五徳３が天板１２よりも下方に位置するようにコンロ本体部１１内に収納される。そして、この収納位置の状態にあるとき、天板１２の開口部１２ａをデザインされた透明ガラスで形成される蓋体１８で塞ぐようにする。このように、ガスバーナ２の未使用時には、ガスバーナ２及び五徳３をコンロ本体部１１内に収納して天板１２の開口部１２ａを蓋体１８で塞ぐことで、天板１２を調理台として広く有効に利用することができ、しかも埃やゴミが開口部１２ａ内の収納空間に入らないようにすることができる。なお、昇降台８１がガスバーナ２の収納位置に到達すると、制御部１０の指令でブザー等の報知を行い、開口部１２ａへの蓋体１８の配置を促して蓋体１８の配置忘れを防ぐようにしてもよい。また、蓋体１８が開口部１２ａへ配置されたことは、蓋体１８により押し下げられる鍋底温度センサ７に設けた物検知手段７２により検出できる。
【００２７】
次に、図５に示すガスバーナ２の収納位置のとき、昇降スイッチがオン操作されると、電動モータ８０を逆転方向に駆動しボールネジ８９を逆回転させてパンタグラフ機構８４を上昇動作させることにより、最下降位置から上昇した収納位置にあった昇降台８１が上昇される。この際、スケールセンサ９３の位置検出結果に基づいて、図６に示すように、蓋体１８の底面と天板１２との間に、蓋体１８に指が掛けられる程度の間隔が形成される蓋取り外し位置に昇降台８１が上昇されたところで電動モータ８０を駆動停止して一旦上昇停止させる。このように、蓋取り外し位置で昇降台８１を一旦上昇停止させることで、蓋体１８を開口部１２ａから容易に取り外すことができ、しかも、蓋体１８の上に調理容器Ａ等が載置されていた場合には調理容器Ａ等がひっくり返る前に調理容器Ａ等を蓋体１８上から取り除くことができる。なお、蓋取り外し位置で昇降台８１を一旦上昇停止させたとき、ブザー等の報知を行うようにしてもよい。
【００２８】
そして、物検知手段７２の検出結果に基づいて、蓋体１８が五徳３上から取り除かれると、自動的に又は再度の昇降スイッチのオン操作により、昇降台８１を上昇開始させる。なお、この後、昇降台８１が最上昇位置に到達するまでの間に、鍋底温度センサ７に設けた物検知手段７２が五徳３上の調理容器Ａ等の物体の有りを検出した場合は、電動モータ８０を駆動停止して昇降台８１の上昇動作を停止させる。これにより、五徳３に載せられた調理容器Ａ等がひっくり返ったりするのが防止される。このとき、五徳３上から調理容器Ａ等の物体を退けて昇降スイッチを再びオン操作すれば、上記上昇動作が再開される。そして、図３に示すように、昇降台８１が最上昇位置に到達して、上部マイクロスイッチ９１がオンされると、昇降台８１がガスバーナ２の使用位置に到達したと判断し、電動モータ８０を駆動停止させる。
【００２９】
以上のように、本実施形態のガスコンロ１によれば、制御部１０は、昇降台８１を使用位置から収納位置に移動させるために昇降機構８を制御する際に、昇降台８１を収納位置よりも下方の最下降位置（図４）に下降させてから上昇させて収納位置（図５）に停止させる制御を行なう。これにより、収納位置の状態の昇降機構８を構成するボールネジ８９及びパンタグラフ機構８４は、最下降位置からの上昇過程で停止させた状態となる。従って、収納位置におけるボールネジ８９及びパンタグラフ機構８４のギヤ駆動部分では、上昇方向へのギヤ間のバックラッシュによる遊びを無くすことができる。よって、収納位置において上昇方向への位置が決まり、昇降台８１をこの収納位置から使用位置へ上昇させたときに使用位置に位置ズレを生じさせることもない。しかも、収納位置での昇降機構８を構成するボールネジ８９及びパンタグラフ機構８４は、上昇過程で停止させた状態にあるから、昇降台８１に掛る荷重を受け止めた状態となっている。従って、収納位置から使用位置へ向けて昇降台８１を上昇開始させる際は、上記バックラッシュの影響を受けることがなく、昇降機構８への負荷や衝撃等が抑制され、昇降機構８によりスムーズな上昇動作を行わせることができる。
【００３０】
また、ギヤ駆動式の昇降機構８は、ボールネジ８９の回転運動を昇降運動へ変換するＸ字状に組まれたリンクアーム８３を備えるパンタグラフジャッキにより構成するので、ボールネジ８９を駆動する電動モータ８０の駆動力が比較的小さくてもガスバーナ２や五徳３の重量が掛った昇降台８１を滑らかに昇降させることができる。従って、上昇開始時の昇降機構８への負荷や衝撃等を一層抑制でき、昇降機構８によりスムーズな上昇動作を行わせることができる。しかも、電動モータ８０を小型にして昇降機構８をコンパクトに構成することができる。
【００３１】
また、ガスバーナ２の使用時に天板１２の下降により凹部が形成されることもないから、天板１２が過熱されることがなく且つ火の状態も分かり易くすることができ、ガスバーナ２を使用していない時は、天板１２を調理台として有効に利用できる。さらには、ガスバーナ２の使用状態に関係なく、ガスコンロ全体の見栄えもよい。
【００３２】
なお、本発明は、上記実施形態に限定されるものでなく本発明の範囲内で種々の変更を施すことができる。
例えば、本実施形態では、昇降機構８は、ボールネジ８９の作用でパンタグラフ機構８４を駆動させる構成としたが、昇降台８１に一体的に形成するラックと、このラックに噛み合うピニオンギヤとを備える等、各種のギヤ駆動式の昇降機構を採用してもよい。
【００３３】
また、上記実施形態では、ガスバーナ２の混合管２４と器具栓５とを上下のクランク状の接続管と複数の回転継手とにより常に接続された状態にしたが、器具栓５にノズルを有する固定式の連絡管を器具栓５に接続し、この連絡管のノズルと混合管２４のガス受入口とを離した状態にしておき、混合管２４が設定した位置に配置されるようにノズルにガイド部材を設けるようにしてもよいし、位置検出手段９の検出結果に基づいて、混合管２４が使用位置まで上昇したときに、連絡管のノズルが混合管２４のガス受入口の中心位置に配置されるように制御してもよい。また、クランク状の接続管に代えて、金属製のフレキシブル管を用いてもよい。
【００３４】
また、昇降台の昇降動作を認識し易くするために、天板１２の開口部１２ａに形成した内壁１２ｂに昇降中に点灯するランプを設けるようにしてもよい。
【００３５】
さらに、本実施形態では、バーナ部２１のバーナボディ２２と、バーナリング６と、支持体１７とはそれぞれ別体としたが、バーナボディ２２とバーナリング６とを一体に形成したり、バーナリング６と支持体１７とを一体に形成したり、バーナボディ２２と支持体１７とを一体に形成したり、全てを一体に形成する等の構成としてもよい。また、支持体１７は、筒部１７ａと天井部１７ｂとを一体に形成したが、それぞれ別に形成してもよい。
【符号の説明】
【００３６】
１  ガスコンロ
２  ガスバーナ
３  五徳
８  昇降機構
９  位置検出手段
１０  制御部（制御手段）
１１  コンロ本体部
１２  天板
１２ａ  開口部
１８  蓋体
２１  バーナ部
７１  鍋底温度センサ（調理容器温度検出手段）
７２  物検知手段７２
８０  電動モータ
８１  昇降台
８３  リンクアーム
８４  パンタグラフ機構
８９  ボールネジ
９１  上部マイクロスイッチ
９２  下部マイクロスイッチ
９３  スケールセンサ
Ａ  調理容器
【図１】
0005484270.tif 000002
【図２】
0005484270.tif 000003
【図３】
0005484270.tif 000004
【図４】
0005484270.tif 000005
【図５】
0005484270.tif 000006
【図６】
0005484270.tif 000007